(57)【要約】【課題】連続したフィルムを幅方向に空間がない手摺にも貼付することのでき、取り扱いも容易なフィルム貼付装置およびそれを用いて貼付する際に使用するフィルム貼付工具を提供する。【解決手段】フィルム貼付装置は、フィルムが貼付され、乗客を案内する手摺に接しながら案内され、外部から力を加えると移動し、力を外すと上記手摺上に止まるような上記手摺との間の摩擦力を有する手摺案内支持部と、上記手摺案内支持部に支持され、フィルムロールを支持するフィルムロール支持部材と、を備えた。【選択図】図２
2005035190.tif 000002
【特許請求の範囲】
【請求項１】
フィルムが貼付され、乗客を案内する手摺に接しながら案内され、外部から力を加えると移動し、力を外すと上記手摺上に止まるような上記手摺との間の摩擦力を有する手摺案内支持部と、
上記手摺案内支持部に支持され、フィルムロールを支持するフィルムロール支持部材と、
を備えたことを特徴とするフィルム貼付装置。
【請求項２】
上記フィルムロール支持部材は、上記手摺案内支持部に支持され、上記フィルムロールの内周面を摩擦しながら回転支持し、上記フィルムロールと上記手摺案内支持部との間の摩擦力を調整するクラッチ機構を有し、フィルムが引き出されるとき所定の引っ張り力を加えることのできることを特徴とする請求項１に記載のフィルム貼付装置。
【請求項３】
隣接する手摺に接しながら案内される第２の手摺案内支持部と、上記手摺案内支持部と上記第２の手摺案内支持部とを連結するアームとを備えたことを特徴とする請求項１または２に記載のフィルム貼付装置。
【請求項４】
手摺にフィルムを貼付するときに用いる、手摺に跨がる鞍状の断面形状を有するヘラ支持部材と、上記ヘラ支持部材の幅方向の外側に位置するほど貼付方向の後方の位置に配設された複数のヘラとを有することを特徴とするフィルム貼付工具。
【発明の詳細な説明】
【技術分野】
【０００１】
この発明は、広告、案内情報等を印刷した連続したフィルムをエスカレータ、動く歩道等の手摺に貼付するフィルム貼付装置およびフィルム貼付工具に関する。
【背景技術】
【０００２】
従来のフィルム貼付装置は、その装置を欄干の側面の滑らかな表面に真空の作用で取り付ける吸着盤からなる取付け手段と、フィルムの第１のロールを取り付ける第１のスピンドル手段と、圧力をフィルムに加えてフィルムが手摺に付着するようにするローラから成る加圧手段と、使用にあたり剥離シートを巻き取る第２のロールが取り付けられる第２のスピンドル手段と、第１のスピンドル手段と第２のスピンドル手段との間に設けられた駆動手段とを有している。
【０００３】
第１のスピンドル手段のロールからフィルムを巻き出すと、第１のスピンドル手段は第２のスピンドル手段を駆動し、それにより第２のスピンドル手段は、第１のロールから出ているフィルムから分離された剥離シートを巻き取るようになっている（例えば、特許文献１参照。）。
【０００４】
【特許文献１】特表２００１−５３７２００号公報
【発明の開示】
【発明が解決しようとする課題】
【０００５】
しかしながら、従来のフィルム貼付装置は、吸盤などからなる取り付け手段と駆動手段とが手摺の幅方向に飛び出ているので、装置の幅が広くなってしまう。そのため、装置を手摺に取り付ける際、手摺の幅方向に広いスペースが必要であり、この装置は、側壁の迫った手摺への貼付に使用できないという問題があった。
また、剥離シートを巻き取る第２のスピンドル手段とフィルムを手摺に加圧する加圧手段とを本体と一体にして組みたてられているので、装置外形が大きく、かつ重量が重くなってしまい、装置を取り扱うことは不便であった。
【０００６】
この発明の目的は、連続したフィルムを幅方向に空間がない手摺にも貼付することのでき、取り扱いも容易なフィルム貼付装置およびそのフィルム貼付装置を用いてフィルムを貼付する際に使用するフィルム貼付工具を提供することである。
【課題を解決するための手段】
【０００７】
この発明に係わるフィルム貼付装置は、フィルムが貼付され、乗客を案内する手摺に接しながら案内され、外部から力を加えると移動し、力を外すと上記手摺上に止まるような上記手摺との間の摩擦力を有する手摺案内支持部と、上記手摺案内支持部に支持され、フィルムロールを支持するフィルムロール支持部材と、を備えた。
【発明の効果】
【０００８】
この発明に係わるフィルム貼付装置の効果は、フィルムが貼付され、乗客を案内する手摺に接しながら案内され、外部から力を加えると移動し、力を外すと上記手摺上に止まるような上記手摺との間の摩擦力を有する手摺案内支持部と、上記手摺案内支持部に支持され、フィルムロールを支持するフィルムロール支持部材と、を備えたので、装置は手摺上に搭載して作業箇所に移動したり、止めたりするために特別な手段を必要としないので、装置の幅はフィルムロールの幅と同等でよく、手摺の上方にフィルムロールの幅分の空間が空いていれば、どのような手摺にも広告を印刷されたフィルムを貼付することができる。
【発明を実施するための最良の形態】
【０００９】
実施の形態１．
図１は、この発明の実施の形態１に係わるフィルム貼付装置をエスカレータの手摺上に搭載した状態の概略正面図である。図２は、図１のＡ−Ａ断面での概略断面図である。図３は、手摺の断面形状を説明するための手摺の断面図である。図４（ａ）は、フィルム貼付工具の正面図である。図４（ｂ）は、図４（ａ）のＢ−Ｂ断面図である。
なお、図３に示すように、エスカレータの手摺１の断面は、緩やかに幅方向に傾いた緩慢傾斜部１ａと、約４５度に外側に傾いた肩部１ｂと、ほぼ直立した壁部１ｃと、さらに内側に傾いた首部１ｄがなめらかな曲線で結ばれた周囲を有している。
【００１０】
図１、２に示すフィルム貼付装置は、エスカレータの手摺１に上方から搭載し、装置全体を支持する手摺案内支持部２と、手摺案内支持部２上に配設され、フィルムロール３を支持するフィルムロール支持部材５とを備えている。フィルムロール３は、広告、案内情報等を印刷したフィルム２０をボビン１４に巻回したものである。
【００１１】
手摺案内支持部２は、手摺１の緩慢傾斜部１ａに接する荷重受部６と、手摺１の両側の壁部１ｃに両側から接してフィルム貼付装置の幅方向の動きを制約する幅制約部７とを備えている。
【００１２】
荷重受部６は、フィルム貼付装置を手摺１に沿って下方に力を加えて押すと手摺１の緩慢傾斜部１ａ上を滑走でき、力を外すと手摺１上に停止して滑って降下しないような摩擦力を手摺１との間に有している。手摺１は、後述するようにゴムからなっているので、荷重受部６の手摺１に当接する接触面に適切な表面処理を施すことにより、外力が加わらなければフィルム２０を手摺１に貼付する間は作業箇所に停止することができ、作業箇所を移動する際には外力を加えることだけで移動することができる。例えば、フェルトを荷重受部６に貼付する、手摺１との接触面を波状に加工して接触面積を減少する、ディンプルを設けるなどにより調整することができる。
【００１３】
幅制約部７は、荷重受部６からホルダ４の縦立した方向と反対方向に略手摺１の厚みだけ延び、手摺１の幅だけ隙間を有して垂下した２枚のフレーム８と、それぞれのフレーム８の相対する面から相対する方向に回転面を有した４個のローラ９とを備えている。ローラ９は、フレーム８に回転自在に支持され、手摺１の壁部１ｃに外側から接する。
このように、手摺案内支持部２は、手摺１の緩慢傾斜部１ａと両側の壁部１ｃとからなる３点によって手摺１に支持されているので、フィルム貼付装置を手摺１の移動方向に押すとフィルム貼付装置は手摺１の緩慢傾斜部１ａの面に平行して降下していく。
【００１４】
フィルムロール支持部材５は、フィルムロール３が挿入できる隙間だけ離間し、手摺案内支持部２から縦立した２枚のホルダ４と、ホルダ４の上端部４ａに設けられたＵ字溝１０に支持され、フィルムロール３の内周面を摺動しながら回転支持するクラッチ機構１２を備えている。
【００１５】
クラッチ機構１２は、ホルダ４のＵ字溝１０に支持されたフィルム支持軸１１と、一端がフィルム支持軸１１に固定され、フィルム２０が巻回されているボビン１４の内周面と摺動し、ボビン１４を外側へ押圧しながらボビン１４の回転を制動するクラッチバネ１５と、クラッチバネ１５の他端に固定し、フィルム支持軸１１に螺合し、クラッチバネ１５を撓ませるナット１６とを備えている。
【００１６】
フィルム支持軸１１は、ホルダ４のＵ字溝１０に挿入後、ナット１３で両側から締め付けてホルダ４に固定する。クラッチバネ１５は、ナット１６を締めると中央部１５ａが外側に膨らみ、膨らんだ中央部１５ａは、ボビン１４の内周面に接触する。ナット１６を締め付けるほど、中央部１５ａの膨らみが大きくなり、ボビン１４をより強く押圧する。
フィルムを引っ張る力は、フィルムの一端を手摺１に固定し、フィルムのボビン１４から引き出される箇所に掛かるボビン１４の回転トルクである。この回転トルクは、クラッチ機構１２の摩擦力と釣り合っている。そこで、クラッチバネ１５とボビン１４の内周面との摩擦力を調整することにより、フィルム２０を引っ張る力を調整することができる。フィルム２０をシワなく貼付するために、フィルム２０を約１０％位伸ばしておくことが必要であるので、フィルム２０に所定の力を加えて貼付を行う。
【００１７】
次に、図４を参照して、フィルム２０を手摺１に貼り付けるときに使用するフィルム貼付工具１７について説明する。
フィルム貼付工具１７は、鞍状の断面形状を有するヘラ支持部材１８と、ヘラ支持部材１８の内周面１８ａに配設された６個のゴム製のヘラ１９を備えている。ヘラ支持部材１８は、鞍状の幅方向と長手方向とを有し、手摺１に被せて押さえ付けながら長手方向に移動させることができる。ヘラ１９は、それぞれ手摺１の緩慢傾斜部１ａ、肩部１ｂ、壁部１ｃの形状に合致するそれぞれ２個のヘラ１９ａ、１９ｂ、１９ｃからなる。ヘラ１９は、ヘラ支持部材１８の貼付方向（矢印参照）に向かって緩慢傾斜部１ａに対応するヘラ１９ａ、肩部１ｂに対応するヘラ１９ｂ、壁部１ｃに対応するヘラ１９ｃの順に後方にくるようにヘラ支持部材１８に固定されている。
【００１８】
さらに、手摺１と、手摺１に貼付するフィルム２０とについて説明する。
フィルム２０を貼付する手摺１は、ハイパロンゴム等からなり、高さ３０ｍｍ、幅８０ｍｍ位の鞍状の断面形状で、長さは一周で３０ｍ位の無端ベルトである。
一方、フィルム２０はシンセディックポリマーフィルムの片側に印刷して表示体を設け、その印刷面に粘接着剤を塗布されている。そのフィルム２０の印刷面にシリコーン離型剤を塗布した剥離シート２１をラミネートしている。幅１３０ｍｍ位で、外径８０ｍｍのボビン１４に所望の長さ、通常は手摺一周分である３０ｍのフィルムを巻回している。
【００１９】
次に、このような構成のフィルム貼付装置を操作して手摺１にフィルム２０を貼付する手順について説明する。
図１に示すように、フィルム２０を貼付する手摺１の作業箇所にフィルム貼付装置を手摺１の上方から搭載する。この搭載した状態では、フィルム貼付装置は手摺案内支持部２と手摺１との摩擦力により停止している。
フィルム２０を巻回したボビン１４の中心孔にクラッチ機構１２を挿入し、フィルム支持軸１１をホルダ４のＵ字溝１０に上方から挿入する。ナット１３を締め付けてフィル支持軸１１をホルダ４に固定する。
次に、ナット１６を締め付け、クラッチバネ１５を撓ませてボビン１４の内周面と接触させ、所望の摩擦力になるように調整する。
フィルム２０を剥離シート２１とともに引き出しながら所望の長さ引き剥がし、剥離シート２１をカッタナイフで切断して取り除く。一方、図１に示すようにフィルム２０の剥がした先端をガムテープ２２で手摺１に固定する。その後、フィルム貼付装置を押して少し下方に移動させ、フィルム２０をしわの発生しないように引っ張る。
この状態で、ガムテープ２２で固定された先端から図１の右手方向へフィルム貼付工具１７を用いて、フィルム２０を手摺１に貼り付ける。フィルム貼付工具１７は、ヘラ１９ａが最初に手摺１の緩慢傾斜部１ａにフィルム２０を介して当たってフィルム２０を手摺１に貼付する。次に、ヘラ１９ｂが手摺１の肩部１ｂにフィルム２０を介して当たり、フィルム貼付工具１７はフィルム２０を手摺１に貼付する。このとき、フィルム２０は、手摺１の外側に斜めに変形される。最後にヘラ１９ｃが手摺１の壁部１ｃにフィルム２０を介して当たり、フィルム貼付工具１７はフィルム２０を手摺１に貼付する。このように、引き出されたフィルム２０は、順次外側に向かって垂直方向に変形されながら貼付されるので、シワが入らずに貼付することができる。これらのフィルム２０を手摺１にフィルム貼付工具１７を用いて貼付している間は、手摺案内支持部２と手摺１との間に働く摩擦力で一箇所に停止している。
上述のように引き出したフィルム２０の半分位まで貼付したら、フィルム貼付装置に力を加えて下方に移動する。フィルム２０にはクラッチ機構１２による引っ張り力が加わっているので、フィルム２０は伸びた状態でフィルムロール３から引き出される。新たに貼付する作業箇所にフィルム貼付装置を移動し終えたら、力を加えることをやめる。フィルム貼付装置は、その新たな作業箇所に止まる。この状態で、上述と同様に、フィルム２０と剥離シート２１とを引き剥がし、フィルム２０に引っ張り力を加えて、フィルム貼付工具１７を使用して手摺１に貼付する。これらの貼付作業を繰り返して手摺１全長に渡ってフィルム２０を貼付する。
【００２０】
このようなフィルム貼付装置において、この装置は手摺上に搭載して作業箇所に押すだけで移動し、フィルムを貼付する間摩擦力だけで作業箇所に止めておくことができるので、そのための特別な手段を必要とせず、この装置の幅はフィルムロールの幅と同等でよく、手摺の上方にフィルムロールの幅分の空間が空いていれば、どのような手摺にも広告を印刷されたフィルムを貼付することができる。
【００２１】
さらに、クラッチ機構によりフィルムに所望の引っ張り力を加えることができるので、シワを作らずにフィルムを手摺に貼ることができる。
【００２２】
さらに、ヘラを手摺の移動方向にずらした位置に配設したフィルム貼付工具を用いると、フィルムを、最初は手摺の緩慢傾斜部に貼付され、引き続いて肩部、壁部へと幅方向に広がりながら貼付されるので、手摺の全面に渡ってシワなく貼付することができる。
【００２３】
なお、このフィルム貼付装置をエスカレータに関して説明したが、動く歩道、階段、通路等の手摺にも同様に適用可能である。
【００２４】
実施の形態２．
図５は、この発明の実施の形態２に係わるフィルム貼付装置の略断面図である。図５のフィルム貼付装置は、実施の形態１のフィルム貼付装置に、隣の手摺２３まで伸びたアーム２４と、アーム２４の先端に手摺案内支持部２Ｂをさらに備えている。その他は実施の形態１と同様であるので、同様な部分の説明は省略する。
アーム２４は、手摺案内支持部２Ｂを固定された先端に対して反対の端部にネジ穴２４ａが設けられている。一方、フィルム２０を貼付する手摺１に搭載した手摺案内支持部２Ａは、ネジ穴２４ａと重なる位置にネジ穴２５が設けられている。このネジ穴２４ａとネジ穴２５とを位置合わせし、アーム２４と手摺案内支持部２Ａとをボルト２６とナット２７で連結することができる。
【００２５】
このようなフィルム貼付装置は、隣の手摺によって同時に案内されるので、装置の移動に伴う蛇行が少なくなり、フィルムに均一に引っ張り力を加えることができる。
さらに、フィルムロールは、幅広い支持部で支持されるので、手摺から落下する危険性が少なくなる。
【産業上の利用可能性】
【００２６】
この発明の活用例として、エスカレータに壁が接近し、エスカレータの手摺とその壁との間に隙間がほとんどないようなエスカレータの手摺に広告、案内情報等を印刷したフィルムを貼付することができる。
【図面の簡単な説明】
【００２７】
【図１】この発明の実施の形態１に係わるフィルム貼付装置の概略正面図である。
【図２】図１のＡ−Ａ断面での概略断面図である。
【図３】この発明の説明に使用する手摺の断面図である。
【図４】図１のフィルム貼付装置を用いて貼付するとき使用するフィルム貼付工具の正面図（ａ）と、そのＢ−Ｂ断面の概略断面図（ｂ）である。
【図５】この発明の実施の形態２に係わるフィルム貼付装置の概略断面図である。
【符号の説明】
【００２８】
１、２３  手摺、２、２Ａ、２Ｂ  手摺案内支持部、３  フィルムロール、４  ホルダ、４ａ  （ホルダの）上端部、５  フィルムロール支持部材、６  荷重受部、７  幅制約部、８  フレーム、９  ローラ、１０  Ｕ字溝、１１  フィルム支持軸、１２  クラッチ機構、１３、１６、２７  ナット、１４  ボビン、１５  クラッチバネ、１５ａ  （クラッチバネの）中央部、１７  フィルム貼付工具、１８  ヘラ支持部材、１９ａ、１９ｂ、１９ｃ  ヘラ、２０  フィルム、２１  剥離シート、２２  ガムテープ、２４  アーム、２４ａ、２５  ネジ穴、２６  ボルト。
【図１】
2005035190.tif 000003
【図２】
2005035190.tif 000004
【図３】
2005035190.tif 000005
【図４】
2005035190.tif 000006
【図５】
2005035190.tif 000007